(57)【要約】【課題】装置単体でカードを上方へ返却し、下方のカード収納箱に収納できるようにする。【解決手段】カードCAを上方から挿入または返却するカード挿入口兼返却口1aと、カードCAをカード挿入口兼返却口1aから上方へ返却するカード返却部5,9,10と、カード挿入口兼返却口1aから挿入されたカードCAに所定の処理を施すため当該カードCAを一時的に保持するカード保持部19と、カード保持部19の下方に設けられカードCAを収納するカード収納部30と、カード保持部19からカード収納部30へカードCAを導出するカード導出路1bとを備え、カード導出路1bは、カード保持部19の延長線上からシフトされた位置に設けられているようにする。【選択図】図４
2014178925.tif 000002
【特許請求の範囲】
【請求項１】
カードを上方から挿入または返却するカード挿入口兼返却口と、
カードを前記カード挿入口兼返却口から上方へ返却するカード返却部と、
前記カード挿入口兼返却口から挿入されたカードに所定の処理を施すため当該カードを一時的に保持するカード保持部と、
前記カード保持部の下方に設けられカードを収納するカード収納部と、
前記カード保持部から前記カード収納部へカードを導出するカード導出路と
を備え、
前記カード導出路は、前記カード保持部の延長線上からシフトされた位置に設けられている
ことを特徴とするカード処理装置。
【請求項２】
前記カード導出路は、前記カード保持部に対して所定角度の傾斜が付けられている
ことを特徴とする請求項１に記載のカード処理装置。
【請求項３】
前記カード導出路を介してカードを前記カード収納部へ導出する前に前記カード保持部をカード厚み方向へ移動させる移動手段を備える
ことを特徴とする請求項２に記載のカード処理装置。
【請求項４】
カードに前記処理を施している際に前記移動手段により移動させられることのないよう前記カード保持部の移動を規制するロックレバーを備え、
前記ロックレバーは、前記移動手段が動作する前に前記ロックレバーによる前記カード保持部に対する移動規制状態が解除される
ことを特徴とする請求項３に記載のカード処理装置。
【発明の詳細な説明】
【技術分野】
【０００１】
本発明は、カードをカード挿入口兼返却口から挿入し、カード処理した後にカード挿入口兼返却口から返却または返却することなくカード収納部に回収するカード処理装置に関するものである。
【背景技術】
【０００２】
従来、カードをカード挿入口兼返却口から自重によってカード収納部に落下させ、そのカードのカード処理を行うために一旦支承し、カード処理後に上昇手段によってカードを上昇させ、カード挿入口兼返却口からカードの上部を露呈させることによって返却する非接触ＩＣカード処理装置が提案されている（例えば、特許文献１参照）。
【０００３】
また、自重によって鉛直方向へ落下したカードをカード収納箱に回収するカード処理装置が提案されている（例えば、特許文献２参照）。
【先行技術文献】
【特許文献】
【０００４】
【特許文献１】特開２００１−１８４４６５号公報
【特許文献２】特開２０１０−７３１３１号公報
【発明の概要】
【発明が解決しようとする課題】
【０００５】
ところで上述した特許文献１の非接触ＩＣカード処理装置においては、カードを利用者に返却させる必要がないとき、そのカードを回収しなければならず利便性が悪いという問題があった。
【０００６】
上述した特許文献２のカード処理装置においては、カードをカード収納箱に回収することができるものの、上方からカードを返却することは出来ないという問題があった。
【０００７】
このように特許文献１の非接触ＩＣカード処理装置と特許文献２のカード処理装置が存在するが、１つの装置単体で、上方からカードを挿入し、再度上方へ返却する返却機能と、下方のカード収納箱にカードを収納する収納機能を同時に併せ持つものは存在しなかった。
【０００８】
本発明は上記した従来の問題に鑑みなされたものであり、その目的は、１つの装置単体でカードを上方へ返却するカード返却機能と、下方のカード収納箱にカードを収納するカード収納機能を同時に併せ持つ利便性の高いカード処理装置を提供することにある。
【課題を解決するための手段】
【０００９】
この目的を達成するために、請求項１に係る発明は、カードを上方から挿入または返却するカード挿入口兼返却口と、カードを前記カード挿入口兼返却口から上方へ返却するカード返却部と、前記カード挿入口兼返却口から挿入されたカードに所定の処理を施すため当該カードを一時的に保持するカード保持部と、前記カード保持部の下方に設けられカードを収納するカード収納部と、前記カード保持部から前記カード収納部へカードを導出するカード導出路とを備え、前記カード導出路は、前記カード保持部の延長線上からシフトされた位置に設けられているようにする。
【００１０】
請求項２に係る発明において、前記カード導出路は、前記カード保持部に対して所定角度の傾斜が付けられているようにすることができる。
【００１１】
請求項３に係る発明において、前記カード導出路を介してカードを前記カード収納部へ導出する前に前記カード保持部をカード厚み方向へ移動させる移動手段を備えるようにすることができる。
【００１２】
請求項４に係る発明において、カードに前記処理を施している際に前記移動手段により移動させられることのないよう前記カード保持部の移動を規制するロックレバーを備え、前記ロックレバーは、前記移動手段が動作する前に前記ロックレバーによる前記カード保持部に対する移動規制状態が解除されるようにすることができる。
【発明の効果】
【００１３】
請求項１の発明によれば、カード挿入口兼返却口から挿入されたカードを一時的に保持したカード保持部から、当該カード保持部の下方に設けられたカード収納部へカード導出路を経由してカードを導出する際、当該カード導出路がカード保持部に保持されたカードの延長線上ではなくシフトされた位置に設けられ、かつ、カード保持部に対して所定角度の傾斜が付けられているので、カード保持部でカードに処理を実行中、誤ってカード導出路からカード収納部へカードが落下することを防止しながら、カード返却機能とカード収納機能とを同時に併せ持つ利便性の高いカード処理装置を実現することができる。
【００１４】
請求項２の発明によれば、カード導出路がカード保持部に対して所定角度の傾斜が付けられているので、カード収納部にカードを排出する際、カードを傾斜された状態で収納させることができる。
【００１５】
請求項３の発明によれば、カード導出路を介してカードをカード収納部へ導出する前に当該カード保持部をカード厚み方向へ移動させることにより、カード保持部の延長線上にカード導出路が位置される状態が形成されてから、カード保持部からカード導出路を経由してカード収納部へカードを落下させて収納することができる。
【００１６】
請求項４の発明によれば、カードに処理を施している際中、移動手段により移動させられることのないよう当該移動手段の移動をロックレバーにより規制し、移動手段が動作する前にロックレバーによるカード保持部に対する移動規制状態が解除されるので、カードがカード保持部からカード収納部へ収納させる際、ロックレバーによるカード保持部に対する保持状態の解除、カード保持部の延長線上にカード導出路が位置される状態の形成、そして、カード保持部からカード導出路を経由してカード収納部へカードを落下させて収納するという段階を経てカードの収納を行うことができる。
【図面の簡単な説明】
【００１７】
【図１】第１の実施の形態に係るカード処理装置の外観構成を示す正面図である。
【図２】第１の実施の形態に係るカード処理装置のカバーを外したときの正面構造を示す正面図である。
【図３】第１の実施の形態に係るカード処理装置のカード読取時の正面構造を示す正面図である。
【図４】第１の実施の形態に係るカード処理装置のカード読取時の断面状態を示す図３におけるI−I線断面図である。
【図５】第１の実施の形態に係るカード処理装置のカード返却時の断面状態を示す図３におけるI−I線断面図である。
【図６】第１の実施の形態に係るカード処理装置の裏面構造を示す正面図である。
【図７】第１の実施の形態に係るカード処理装置のカード回収時の断面状態（１）を示す図６におけるII−II線断面図である。
【図８】第１の実施の形態に係るカード処理装置のカード回収時の断面状態（２）を示す図６におけるII−II線断面図である。
【図９】第１の実施の形態に係るカード処理装置のカード回収時の断面状態（３）を示す図６におけるII−II線断面図である。
【図１０】カード処理装置の下方にカード収納箱が設置された状態を示す側面図である。
【図１１】カード収納箱の外観構成を示す斜視図である。
【図１２】カード収納箱の構成を示す上面図である。
【図１３】カード収納箱の断面構成を示す図１２におけるIII−III断面図である。
【図１４】カード収納箱によるカード収納動作の説明に供する断面図である。
【図１５】第２の実施の形態におけるカード収納箱の構成を示す断面図である。
【図１６】第３の実施の形態におけるカード収納箱の構成を示す断面図である。
【図１７】第４の実施の形態におけるカード収納箱の構成を示す断面図である。
【発明を実施するための形態】
【００１８】
以下、本発明の実施の形態について説明する。
【００１９】
（１）第１の実施の形態
＜カード処理装置の構成＞
図１乃至図５を用いて本発明の第１の実施の形態に係るカード処理装置１００の構成を説明する。カード処理装置１００は、ベース１の上端部に非接触型ＩＣ(Integrated Circuit)カードＣＡ（以下、これを単にカードＣＡと呼ぶ）を挿入または返却するためのカード挿入口兼返却口１ａが設けられるとともに、ベース１を構成している表面側ベース１ｆｍに対してカバー２が装着可能な全体外観構成を有している。
【００２０】
表面側ベース１ｆｍにおける左右両側上端部にはシャッタ３、３が設けられ、当該シャッタ３、３における下方端部のシャッタ軸３ａ、３ａを介してリンク４、４と連結されているとともに、スライダ５の左右両側端部に形成された突起５ｄ、５ｄと当該リンク４の下端部とが係合連結されている。
【００２１】
図２および図３に示されるように、ベース１を構成している表面側ベース１ｆｍのほぼ中央に平行に設けられた縦長のベース溝１ｃ、１ｃにはスライダ５が矢印Ａ−Ｂ方向へスライド自在に係合されているとともに、スライダ５の中央に縦長に設けられたスライダ溝５ｅに対して表面側ベース１ｆｍ上に立設された突起部１ｅが係合されている。
【００２２】
スライダ５は、スライダ溝５ｅとは直交する矢印Ｅ方向へ向かって突出した突出部５ｂ（図４、図５）を有し、当該突出部５ｂが表面側ベースｆｍから矢印Ｅ側へ向かって突出している。またスライダ５には、当該スライダ５の下方に設けられたストッパ１０の爪１０ｂと係合するための係合孔５ａが当該ストッパ１０の延長線上方の所定位置に形成されている。
【００２３】
スライダ５の左右両側にはバネ６、６が設けられ、当該スライダ５の左右両側下方端部とバネ６、６の下端部とが取り付けられるとともに、バネ６、６が矢印Ａ−Ｂ方向へ向かって互いに平行となるように、当該バネ６、６の上端が表面側ベース１ｆｍ上の所定位置に取り付けられている。このバネ６、６は、図２に示されるように、カードＣＡが未だ挿入されていない未挿入時の位置にスライダ５を戻すように矢印Ａ方向へ常時付勢している。
【００２４】
スライダ５の下方に設けられたストッパ１０は、表面側ベース１ｆｍから矢印Ｆ方向へ突設されたボス１ｇに対して軸１０ａを中心に回動自在に取り付けられている。ストッパ１０の近傍には第１の電磁ソレノイド９が設けられ、そのプランジャ９ａに固定されたピン１１がストッパ１０の係合部１０ｃの長孔１０ｈに摺動自在に係合されている。
【００２５】
第１の電磁ソレノイド９は、図２に示されるように、電流が印加されない状態ではプランジャ９ａが上方に位置されているので、このとき図４に示されるように、ストッパ１０が時計回り方向へ付勢され、当該ストッパ１０の爪１０ｂがスライダ５の係合孔５ａに係合された状態が維持されるように構成されている。
【００２６】
一方、第１の電磁ソレノイド９は、図５に示されるように、電流が印加されるとプランジャ９ａが吸引されるので、当該プランジャ９ａとともにピン１１が下方へ移動することになる。
【００２７】
このとき、ピン１１がストッパ１０の係合部１０ｃの長孔１０ｈの中で下方へ移動し、当該長孔１０ｈの下端に当接された状態でプランジャ９ａが更に吸引され続けることにより、軸１０ａを中心としてストッパ１０が反時計回り方向へ回転されるように構成されている。なお、スライダ５、電磁ソレノイド９およびストッパ１０によってカードＣＡをカード挿入口兼返却口１ａから上方へ返却するカード返却部を構成する。
【００２８】
図６乃至図９に示すように、ベース１の裏面側ベース１ｂｍには、第２の電磁ソレノイド１３が設けられ、裏面側ベース１ｂｍに設けられた囲い壁１ｈの中に取り付けられている。第２の電磁ソレノイド１３の上方には、ロックレバー１４が設けられ、当該ロックレバー１４の上方には開放レバー１８が設けられている。
【００２９】
ロックレバー１４は、そのロックレバー軸１５が裏面側ベース１ｂｍの囲い壁１ｈを貫通した状態で当該囲い壁１ｈに取り付けられるともに、当該囲い壁１ｈに対しロックレバー軸１５を中心として回動自在に支持されている。ロックレバー１４には円弧状の長孔１４ａが形成されており、当該長孔１４ａの内部に当該長孔１４ａの形状に沿って移動するシャフト１６が係入されている。
【００３０】
開放レバー１８は、開放レバー軸１８ａを中心として裏面側ベース１ｂｍに回動自在に支持されている。この開放レバー１８の中央には、第２の電磁ソレノイド１３のプランジャ１３ａの内部空間に嵌合されるべき嵌合部１８ｂが矢印Ｅ方向に向かって突出しており、当該嵌合部１８ｂが第２の電磁ソレノイド１３のプランジャ１３ａに嵌合固定されることにより、開放レバー１８と第２の電磁ソレノイド１３のプランジャ１３ａとが互いに連結されている。
【００３１】
ロックレバー１４のシャフト１６は、開放レバー１８の嵌合部１８ｂが第２の電磁ソレノイド１３のプランジャ１３ａに嵌合固定された状態の当該プランジャ１３ａの中心を貫通している。すなわちロックレバー１４と第２の電磁ソレノイド１３のプランジャ１３ａとがシャフト１６を介して互いに連結されているとともに、当該プランジャ１３ａおよび開放レバー１８が当該開放レバー１８の嵌合部１８ｂおよびシャフト１６を介して互いに連結されているので、ロックレバー１４のシャフト１６を介して第２の電磁ソレノイド１３、ロックレバー１４および開放レバー１８が相互に連結された状態にある。
【００３２】
開放レバー１８の一端１８ｃ、１８ｃは、当該開放レバー１８の裏側に配置された断面略Ｌ字状でなるシュータ１９から裏面側ベース１ｂｍの貫通孔１ｇ（図８、図９）を介して矢印Ｅ方向へ突び出した係合部１９ａの係合孔１９ｂに係合されており、開放レバー１８が開放レバー軸１８ａを中心として回転する前の段階で、その一端１８ｃ、１８ｃが係合孔１９ｂの遊びの中で移動可能に支持されている。すなわち開放レバー１８とシュータ１９とは係合部１９ａを介して連結されている。
【００３３】
シュータ１９は、裏面側ベース１ｂｍの上端部の回動軸２０を介して取り付けられており、開放レバー１８の回転とともに回動軸２０を介して回動自在に支持されている。シュータ１９の先端には、矢印Ｅ方向へ向かって突出した突出部１９ｃが形成されており、突出部１９ｃとロックレバー１４の先端１４ｂとが当接するとともに、シュータ１９の先端側背面とスライダ５の突出部５ｂの先端とが当接するように構成されている（図７）。
【００３４】
かくして、表面側ベース１ｆｍと、シュータ１９の背面と、スライダ５の突出部５ｂとにより、カード挿入口兼返却口１ａから挿入されたカードＣＡを一時的に保持し、当該保持されたカードＣＡの背面側に配置されたリーダライタ１２（図４、図５）により当該カードＣＡに対して所定の処理（データの読み出しや、データの書き込み）を行うためのカード保持空間ＣＨＫが形成される。
【００３５】
シュータ１９の背面側には、カード保持空間ＣＨＫに挿入されたカードＣＡを左右両側から係止するための爪１９ｔが左右２カ所ずつ合計４個設けられており、カードＣＡがカード保持空間ＣＨＫに挿入されたとき、スライダ５の突出部５ｂにカードＣＡの一方の端部が当接されるとともに当該カードＣＡの左右両側端部が４カ所の爪１９ｔに係止されるように構成されている。すなわちシュータ１９はカードＣＡを保持するカード保持部を構成する。
【００３６】
ところで、電磁ソレノイド１３に電流が印加されると、電磁ソレノイド１３のプランジャ１３ａが下方へ吸引されるが、プランジャ１３ａにはシャフト１６が一体化されているため、シャフト１６についてもロックレバー１４の長孔１４ａに沿って移動する。シャフト１６の移動によりロックレバー１４がロックレバー軸１５を中心として図中時計回り方向へ回転され始めると同時に（図８）、ロックレバー１４の先端１４ｂとシュータ１９の突出部１９ｃとの当接状態が解消されるように構成されている。
【００３７】
このとき、プランジャ１３ａが下方に吸引されるとともに、シャフト１６を介して開放レバー１８の嵌合部１８ｂが下方に引っ張られ、そのとき開放レバー１８の一端１８ｃ、１８ｃがシュータ１９における係合部１９ａの係合孔１９ｂの遊びの中で移動する（図８）。  
【００３８】
更にプランジャ１３ａが下方に吸引されると、ロックレバー１４の長孔１４ａに係入されているシャフト１６が当該長孔１４ａに沿って更に移動することにより、当該ロックレバー１４がロックレバー軸１５を中心として図中時計回り方向へ更に回転され（図９）、その後、シャフト１６の移動が長孔１４ａによって規制されると、その位置でロックレバー１４の回転が停止されるように構成されている。
【００３９】
開放レバー１８の一端１８ｃ、１８ｃと係合孔１９ｂとの間の遊びが無くなると、開放レバー軸１８ａを中心とした図中反時計回り方向へ開放レバー１８が更に回転するとともに、シュータ１９が回動軸２０を介して図中時計回り方向へ回転（移動）し始め、ロックレバー１４の回転停止とともにシュータ１９の回転（移動）も停止されるように構成されている（図９）。すなわち、電磁ソレノイド１３、シャフト１６および開放レバー１８は、シュータ１９を回転（移動）させるための移動手段を構成するが、この移動手段はロックレバー１４が回転し始めない限り、シュータ１９を回転（移動）させることはなく、当該ロックレバー１４がシュータ１９の回転（移動）を規制している。
【００４０】
シュータ１９の突出部１９ｃの下方には、表面側ベース１ｆｍと裏面側ベース１ｂｍとの間に形成されたカード導出路１ｂが配置されている。ここで、表面側ベース１ｆｍは途中に設けられた段差部１ｆｄから矢印Ｂ方向に向かって延在するとともに矢印Ｅ方向へ傾斜され、裏面側ベース１ｂｍについてもロックレバー１４の下方から矢印Ｂ方向に向かって延在するとともに矢印Ｅ方向へ傾斜されているため、当該ロックレバー１４の下方に形成されたカード導出路１ｂについては所定角度の傾斜が付けられている。
【００４１】
また、カード導出路１ｂはカード保持空間ＣＨＫの延長線上にはなく、シュータ１９の突出部１９ｃの下方に配置されており、すなわち、カード導出路１ｂは、カード保持空間ＣＨＫの延長線上からシフトされた位置に設けられている。
【００４２】
＜カード収納箱の構成＞
次に、カード処理装置１００のカード導出路１ｂを介して回収されるカードＣＡを収納するカード収納部としてのカード収納箱について、図１０乃至図１４を用いて説明する。
【００４３】
カード処理装置１００は、第１ブラケット３２および第２ブラケット３３に取り付けられることにより台３１に設置されており、カード導出路１ｂの延長線上下方に配置された台３１にカード収納箱３０が固定されている。
【００４４】
図１１および図１２に示すように、カード収納箱３０は、正面部３０ａ、側面部３０ｂ、３０ｃ、背面部３０ｄ、底面部３０ｅにより全体が有底蓋無の直方体形状に形成されている。
【００４５】
このカード収納箱３０の内部空間には、図１３に示すように、図中断面逆Ｎ字状でなるカード収納仕切部材３２が設けられ、カード収納箱３０の正面部３０ａの裏面に対してカード収納仕切部材３２の接着部３２ｃが接着固定されるとともに、接着部３２ｃと平行でかつ垂直な仕切部３２ｂの下端が底面部３０ｅに接着固定されている。また、仕切部３２ｂと平行でかつ垂直な別部品の仕切部３２ｄが背面部３０ｄに接着固定されている。
【００４６】
接着部３２ｃと仕切部３２ｂとの間にはカードＣＡが積み重ねられる際の底面を所定角度αに傾斜させた傾斜部３２ａが形成され、正面部３０ａの裏面と、傾斜部３２ａと、仕切部３２ｂとによりカードＣＡを収納する収納部としての第１のカード収納部３３が形成される。カード収納箱３０における第１のカード収納部３３を除く残りの領域（空間）すなわち仕切部３２ｂから仕切部３２ｄまでの領域（空間）は、第１のカード収納部３３と隣接してカードＣＡが積み重ねられる収納部としての第２のカード収納部３４となる。
【００４７】
かくしてカード収納箱３０は、カード収納仕切部材３２により仕切られた第１のカード収納部３３と、第２のカード収納部３４とを有している。
【００４８】
＜カード処理装置によるカード挿入および返却動作＞
カード処理装置１００にカードＣＡが挿入されていない状態（図２）において、図５に示されるようにカードＣＡがカード挿入口兼返却口１ａから挿入されると、バネ６、６により上方に付勢されたスライダ５の突出部５ｂにカードＣＡの一方の端部が当接された状態で、当該カードＣＡが下方へ押し続けられることにより、当該スライダ５がカードＣＡとともにバネ６、６の付勢力に抗して押し下げられる（図３）。
【００４９】
このとき、図４に示されるように、図中時計回り方向へ付勢されたストッパ１０の爪１０ｂと、カードＣＡの挿入とともに上方から下方へ押し下げられたスライダ５の係合孔５ａとが係合され、当該スライダ５がその位置に留まることにより、当該カードＣＡがシュータ１９の爪１９ｔに係止された状態でカード保持空間ＣＨＫに保持される。
【００５０】
このときカードＣＡとリーダライタ１２とは互いに対向された配置状態となるため、当該リーダライタ１２によりカードＣＡに対するデータの読み出しや書き込みが行われる。
【００５１】
その後、カードＣＡに対する返却命令が与えられると、その返却命令に応じて第１の電磁ソレノイド９に電流が印加され、プランジャ９ａが下方に吸引されるので、当該プランジャ９ａとともにピン１１が下方へ移動し、当該ピン１１がストッパ１０の係合部１０ｃの長孔１０ｈの中で下方へ移動し（図５）、当該長孔１０ｈの下端に当接された状態でプランジャ９ａが更に吸引され続けることにより、軸１０ａを中心としてストッパ１０が反時計回り方向へ回転される。
【００５２】
この結果、ストッパ１０の爪１０ｂとスライダ５の係合孔５ａとの係合状態が解除され、当該スライダ５はバネ６、６の付勢力により上方へ押し上げられ、スライダ５の突出部５ｂに一方の端部が当接されたカードＣＡもスライダ５とともに一緒に押し上げられ、当該カードＣＡの他方の端部がカード挿入口兼返却口１ａから僅かに露出する。これによりユーザはカードＣＡの他方の端部を指で掴んで引き抜くことによりカードＣＡの返却を受けることができる。
【００５３】
＜カード処理装置によるカード回収動作＞
ところで、リーダライタ１２によりカードＣＡに対するデータの読み出しや書き込みが行われた後、カードＣＡに対する回収命令が与えられると、その回収命令に応じて第２の電磁ソレノイド１３に電流が印加され、プランジャ１３ａが下方に吸引される。
【００５４】
但し、カードＣＡに対するリーダライタ１２によるデータの処理を施している際には、例えカードＣＡに対する返却命令が与えられたとしても、図示しない制御装置は電磁ソレノイド１３に対して電流を印加することがない。この場合、ロックレバー１４の先端１４ｂとシュータ１９の突出部１９ｃとの当接状態が維持されるので（図７）、ロックレバー１４によるシュータ１９の移動が規制されたままの移動規制状態が継続される。
【００５５】
プランジャ１３ａが下方に移動されると、図７乃至図９に示されるように、プランジャ１３ａとともに、ロックレバー１４の長孔１４ａに係入されているシャフト１６が当該長孔１４ａに沿って移動することにより、当該ロックレバー１４がロックレバー軸１５を中心として図中時計回り方向へ回転され始めると同時に（図８）、ロックレバー１４の先端１４ｂとシュータ１９の突出部１９ｃとの当接状態が解消される。すなわち、ロックレバー１４によるシュータ１９の移動規制状態が最初に解除される。
【００５６】
但し、この段階では、ロックレバー１４によるシュータ１９の移動規制状態が解除されるものの、開放レバー１８の一端１８ｃ、１８ｃがシュータ１９における係合部１９ａの係合孔１９ｂの遊びの中で移動するだけであるため（図８）、シュータ１９は回動軸２０を介して回転（移動）されることなく、シュータ１９の爪部１９ｔによりカードＣＡが保持されたままの状態が維持される。
【００５７】
更にプランジャ１３ａが下方に移動されると、ロックレバー１４の長孔１４ａに係入されているシャフト１６が当該長孔１４ａに沿って更に移動し、当該ロックレバー１４がロックレバー軸１５を中心として図中時計回り方向へ更に回転された後（図９）、シャフト１６の移動が長孔１４ａによって規制されると、その位置でロックレバー１４の回転が停止される。
【００５８】
このとき開放レバー１８の一端１８ｃ、１８ｃと係合孔１９ｂとの間の遊びが無くなると、開放レバー軸１８ａを中心とした図中反時計回り方向へ開放レバー１８が回転し始めるとともに、シュータ１９が回動軸２０を介して図中時計回り方向へ回転（移動）し始めるが、ロックレバー１４の回転停止とともにシュータ１９の回転（移動）も停止される。
【００５９】
この場合、シュータ１９の傾斜状態と、カード導出路１ｂの傾斜状態とが一致するとともに、カード収納空間ＣＨＫにおいてカードＣＡの一方の端部とスライダ５の突出部５ｂとの当接状態が解消されるので、シュータ１９の爪１９ｔに係止されていたカードＣＡが傾斜した状態で下方へ落下し始め、カード処理装置１００の下方に設けられたカード収納箱３０に回収される。
【００６０】
＜カード収納箱によるカード収納動作＞
カード処理装置１００のカード導出路１ｂから排出された回収すべきカードＣＡをカード収納箱３０における第１のカード収納部３３および第２のカード収納部３４に収納する際のカード収納動作について説明する。
【００６１】
図１４に示すように、カード処理装置１００におけるカード導出路１ｂの傾斜に沿って排出されるカードＣＡは、カード収納箱３０に対して落下する際に、その一方の端部がカード収納仕切部材３２の傾斜部３２ａに衝突した後、傾斜部３２ａの上を滑り、仕切部３２ｂにカードＣＡの一方の端部が衝突され、その仕切部３２ｂがカードＣＡに対するストッパとなって傾斜部３２ａの上にカードＣＡを順次積み重ねていく。
【００６２】
そして、傾斜部３２ａに積み重ねられた最上段のカードＣＡが仕切部３２ｂの高さと同じになった後、次の新たなカードＣＡがカード処理装置１００のカード導出路１ｂから排出されると、そのカードＣＡに対してはストッパとなり得る仕切部３２ｂが露出されていないため、当該カードＣＡが第１のカード収納部３３の最上段のカードＣＡの上を滑って第２のカード収納部３４の底面部３０ｅに落下する。
【００６３】
それ以降にカード処理装置１００のカード導出路１ｂから排出されるカードＣＡは、同様に、第１のカード収納部３３から第２のカード収納部３４へ落下する。第２のカード収納部３４では、第１のカード収納部３３からのカードＣＡの一方の端部が仕切部３２ｄに衝突し、当該仕切部３２ｄをストッパとして当該カードＣＡの一方の端部が揃えられた状態で当該カードＣＡを順次積み重ねていく。
【００６４】
第２のカード収納部３４に順次積み重ねられるカードＣＡが仕切部３２ｂの高さを超えたとき、その次にカード処理装置１００のカード導出路１ｂから排出された新たなカードＣＡの一方の端部が、仕切部３２ｂの高さを１枚分だけ超えて第２のカード収納部３４に積み重ねられた最上段のカードＣＡにおける他方の端部に衝突し、それがストッパの役割を担うことになるので、第１のカード収納部３３の最上段のカードＣＡの上に新たなカードＣＡが積み重ねられる。
【００６５】
このとき第１のカード収納部３３の最上段に位置するカードＣＡは仕切部３２ｂの高さよりもカード１枚分の高さだけ突出するとともに、第２のカード収納部３４の最上段に位置するカードＣＡも仕切部３２ｂの高さよりもカード１枚分の高さだけ突出しているため、仕切部３２ｂを挟んで両者の高さが揃うことになる。
【００６６】
従って、その次にカード処理装置１００のカード導出路１ｂから排出されたカードＣＡは、第１のカード収納部３３と第２のカード収納部３４との間から仕切部３２ｂが突出していないため、第１のカード収納部３３に積み上げられた最上段のカードＣＡの上を滑って第２のカード収納部３４へ移動する。
【００６７】
これ以降、カード処理装置１００のカード導出路１ｂから排出されたカードＣＡは、第１のカード収納部３３と第２のカード収納部３４とに対して交互に積み重ねられていく。これによりカード収納箱３０では、カード処理装置１００のカード導出路１ｂの延長線上の下方に第１のカード収納部３３が位置付けられたままの状態でありながら（図１０）、当該第１のカード収納部３３に収納されるカードＣＡおよび第２のカード収納部３４に収納されるカードＣＡがカード収納仕切部材３２の仕切部３２ｂと同じ高さになった以降、第１のカード収納部３３と第２のカード収納部３４とに対して交互にカードＣＡが順次積み重ねられる。
【００６８】
かくしてカード収納箱３０では、カード処理装置１００のカード導出路１ｂから排出されるカードＣＡを効率良く第１のカード収納部３３および第２のカード収納部３４に振り分けながら可能な限り多くの枚数を収納することができる。
【００６９】
（２）第２の実施の形態
第２の実施の形態においては、第１の実施の形態におけるカード処理装置１００と同じであるが、カード収納箱３０とは異なる構造のカード収納箱が設けられているため、ここではカード処理装置１００の説明は省略し、第２の実施の形態におけるカード収納箱の構成およびカード収納動作についてのみ説明する。
【００７０】
＜カード収納箱の構成＞
図１３との対応部分に同一符号を付した図１５に示すように、第２の実施の形態におけるカード収納箱４０は、その内部空間に図中断面逆Ｎ字状でなるカード収納仕切部材４２が設けられている。
【００７１】
カード収納仕切部材４２は、カード収納箱４０の背面部４０ｄに対して当該カード収納仕切部材４２の仕切部４２ｄが接着固定されるとともに、仕切部４２ｄと平行でかつ垂直な仕切部４２ｂの下端がカード収納箱４０の背面部４０ｄおよび底面部４０ｅに接着固定されている。
【００７２】
仕切部４２ｄと仕切部４２ｂとの間にはカードＣＡが積み重ねられる際の底面を所定角度αに傾斜させた傾斜部４２ａが形成され、仕切部４２ｄと、傾斜部４２ａと、仕切部４２ｂとにより収納部としての第２のカード収納部４４が形成される。カード収納箱４０における第２のカード収納部４４を除く残りの領域（空間）すなわちカード収納箱４０の正面部４０ａの裏面から仕切部４２ｂまでの領域（空間）は、第２のカード収納部４４と隣接してカードＣＡが積み重ねられる収納部としての第１のカード収納部４３となる。
【００７３】
かくしてカード収納箱４０は、カード収納仕切部材４２により第１のカード収納部４３と、第２のカード収納部４４とを有している。
【００７４】
＜カード収納動作＞
このように構成されたカード収納箱４０に対してカード処理装置１００のカード導出路１ｂから排出された回収すべきカードＣＡを第１のカード収納部４３および第２のカード収納部４４に収納する際のカード収納動作について説明する。
【００７５】
カード処理装置１００のカード導出路１ｂの傾斜に沿って排出されるカードＣＡは、当該カードＣＡの落下の際に、その一方の端部がカード収納箱４０の底面部４０ｅに衝突した後、カード収納仕切部材４２の仕切部４２ｂに衝突し、第１のカード収納部４３の底面部４０ｅ上に順次積み重ねられていく。
【００７６】
そして、積み重ねられた最上段のカードＣＡがカード収納仕切部材４２の仕切部４２ｂの高さと同じになった後に、次の新たなカードＣＡがカード処理装置１００のカード導出路１ｂから排出されたとき、そのカードＣＡに対してストッパとなり得る仕切部４２ｂが露出されていないため、当該カードＣＡが第１のカード収納部４３に積み上げられた最上段のカードＣＡの上を滑って第２のカード収納部４４へ落下する。
【００７７】
第２のカード収納部４４では、第１のカード収納部４３からのカードＣＡが傾斜部４２ａ上を移動し、仕切部４２ｄをストッパとして当該カードＣＡの一方の端部が揃えられた状態で当該傾斜部４２ａ上に順次積み重ねられていく。
【００７８】
第２のカード収納部４４の傾斜部４２ａ上に積み重ねられるカードＣＡが仕切部４２ｂの高さを超えたとき、次にカード処理装置１００のカード導出路１ｂから排出された新たなカードＣＡの一方の端部が、仕切部４２ｂの高さを超えて第２のカード収納部４４に積み上げられたカードＣＡの他方の端部に衝突し、それがストッパの役割を担って、第１のカード収納部４３の最上段のカードＣＡの上に新たなカードＣＡが積み重ねられる。
【００７９】
このとき第１のカード収納部４３の最上段に位置するカードＣＡは仕切部４２ｂの高さよりもカード１枚分の高さだけ突出するとともに、第２のカード収納部４４の最上段に位置するカードＣＡも仕切部４２ｂの高さよりもカード１枚分の高さだけ突出することになる。すなわち、第の第１のカード収納部４３の最上段に位置するカードＣＡと、第２のカード収納部４４の最上段に位置するカードＣＡとは仕切部４２ｂを挟んで高さが揃うことになる。
【００８０】
従って、その次にカード処理装置１００のカード導出路１ｂから排出されたカードＣＡは、第１のカード収納部４３と第２のカード収納部４４との間から仕切部４２ｂが突出していないため、第１のカード収納部４３に積み重ねられた最上段のカードＣＡの上を滑って第２のカード収納部４４へ落下する。
【００８１】
これ以降、カード処理装置１００のカード導出路１ｂから排出されたカードＣＡは、第１のカード収納部４３と第２のカード収納部４４とに交互に積み重ねられていく。かくしてカード収納箱４０では、カード処理装置１００のカード導出路１ｂの延長線上の下方に第１のカード収納部４３が位置付けられたままの状態でありながら（図１０）、当該第１のカード収納部４３に収納されるカードＣＡがカード収納仕切部材４２の仕切部４２ｂと同じ高さになった以降、第１のカード収納部４３と第２のカード収納部４４とに対して交互にカードＣＡが順次積み重ねられる。
【００８２】
かくしてカード収納箱４０では、カード処理装置１００のカード導出路１ｂから排出されるカードＣＡを効率良く第１のカード収納部４３および第２のカード収納部４４に振り分けながら可能な限り多くの枚数を収納することができる。なお、カード収納箱４０では、カード導出路１ｂから排出されるカードＣＡに勢いを付けて第１のカード収納部４３から第２のカード収納部４４へ確実に収納するため、カードＣＡが落下する傾斜部４２ａの高さ位置や角度を変更するようにしても良い。
【００８３】
（３）第３の実施の形態
第３の実施の形態においては、第１の実施の形態におけるカード収納箱３０とは異なる構造のカード収納箱が設けられている以外、カード処理装置１００については同様であるため、その説明は省略し、第３の実施の形態におけるカード収納箱の構成およびカード収納動作についてのみ説明する。
【００８４】
＜カード収納箱の構成＞
図１３との対応部分に同一符号を付した図１６に示すように、第３の実施の形態におけるカード収納箱５０は、その内部空間に図中断面略鋸歯形状でなるカード収納仕切部材５２が設けられる。
【００８５】
カード収納仕切部材５２は、カード収納箱５０の正面部５０ａの裏面に対して接着部５２ｃが接着固定されるとともに、接着部５２ｃと平行でかつ垂直な仕切部５２ｂの下端が底面部５０ｅに接着固定され、仕切部５２ｄが背面部５０ｄおよび底面部５０ｅに対して接着固定されている。
【００８６】
接着部５２ｃと仕切部５２ｂとの間にはカードＣＡが積み重ねられる際の底面を所定角度αに傾斜させた傾斜部５２ａが形成されているとともに、仕切部５２ｂと仕切部５２ｄとの間には所定角度β（β＜α）に傾斜させた傾斜部５２ｅが形成されている。
【００８７】
カード収納箱５０の正面部５０ａの裏面と、傾斜部５２ａと、仕切部５２ｂとにより第１のカード収納部５３が形成され、仕切部５２ｂと、傾斜部５２ｅと、仕切部５２ｄとにより第２のカード収納部５６が形成されている。但し、第２のカード収納部５６は、仕切部により区切られている訳ではないが、カードＣＡを２列収納可能な大きさを有し、カード収納空間５４およびカード収納空間５５を構成する。
【００８８】
ここで、カードＣＡの落下位置に近い方の第１のカード収納部５３における傾斜部５２ｂの傾斜角度αは、カードＣＡの落下位置から遠い方の第２の収納部５４における傾斜部５２ｅの傾斜角度βよりも急峻である。
【００８９】
かくしてカード収納箱５０は、カード収納仕切部材５２により第１のカード収納部５３と、当該カード収納仕切部材５２により形成された第２のカード収納部（カード収納空間５４およびカード収納空間５５）とを有することになる。
【００９０】
＜カード収納動作＞
このように構成されたカード収納箱５０に対してカード処理装置１００のカード導出路１ｂから排出された回収すべきカードＣＡを第１のカード収納部５３および第２のカード収納部５４に収納する際のカード収納動作について説明する。
【００９１】
カード処理装置１００のカード導出路１ｂの傾斜に沿って排出されるカードＣＡは、当該カードＣＡの落下の際に、その一方の端部がカード収納仕切部材５２の傾斜部５２ａに衝突した後、仕切部５２ｂに衝突し、第１のカード収納部５３の傾斜部５２ａ上に順次積み重ねられていく。
【００９２】
そして、積み重ねられた最上段のカードＣＡが仕切部５２ｂの高さと同じになった後に、次の新たなカードＣＡがカード処理装置１００のカード導出路１ｂから排出されると、その新たなカードＣＡに対してストッパとなり得る仕切部５２ｂが露出されていないため、当該カードＣＡが第１のカード収納部５３に積み重ねられた最上段のカードＣＡの上を滑って第２のカード収納部５６へ移動する。
【００９３】
第２のカード収納部５６へ移動されたカードＣＡは、傾斜部５２ｅ上を滑りながら移動し、その一方の端部が仕切部５２ｄに衝突され、当該カードＣＡの一方の端部が仕切部５２ｄにより揃えられた状態でカード収納空間５５に対応した傾斜部５２ｅ上に載置される。すなわち第２のカード収納部５６のカード収納空間５５にカードＣＡが収納されることになる。
【００９４】
それ以降にカード処理装置１００のカード導出路１ｂから排出される新たなカードＣＡは、同様に、第１のカード収納部３３に積み重ねられた最上段のカードＣＡの上を滑って第２のカード収納部５６へ移動するが、カード収納空間５５では既に１枚のカードＣＡが傾斜部５２ｅの上に載置されているため、傾斜部５２ｅの上に載置されたカードＣＡの他方の端部に対して、新たなカードＣＡの一方の端部が衝突し、カード収納空間５４に対応した傾斜部５２ｅ上に当該新たなカードＣＡが載置される。
【００９５】
この状態では、第１のカード収納部５３の最上段のカードＣＡ、第２のカード収納部５６のカード収納空間５４、５５に載置された最上段のカードＣＡの合計３枚の高さが全て揃うことになり、以降、新たにカード処理装置１００のカード導出路１ｂから順次排出される新たなカードＣＡは、カード収納空間５５、カード収納空間５４、第１のカード収納部５３の順番で繰り返し積み重ねられていく。
【００９６】
かくしてカード収納箱５０では、カード処理装置１００のカード導出路１ｂから排出されるカードＣＡを効率良く第１のカード収納部５３および第２のカード収納部５６（カード収納空間５４およびカード収納空間５５）に振り分けながら可能な限り多くの枚数を収納することができる。
【００９７】
（４）第４の実施の形態
第４の実施の形態においては、第３の実施の形態におけるカード収納箱５０とは異なる構造のカード収納箱が設けられている以外、カード処理装置１００については同様であるため、その説明は省略し、第４の実施の形態におけるカード収納箱の構成およびカード収納動作についてのみ説明する。
【００９８】
＜カード収納箱の構成＞
図１６との対応部分に同一符号を付した図１７に示すように、第４の実施の形態におけるカード収納箱６０は、その内部空間に図中断面略鋸歯形状でなるカード収納仕切部材６２が設けられる。
【００９９】
カード収納仕切部材６２は、カード収納箱６０の正面部６０ａの裏面に対して接着部６２ｃが接着固定されるとともに、接着部６２ｃと平行でかつ垂直な仕切部６２ｂの下端が底面部６０ｅに接着固定され、当該仕切部６２ｂからカードＣＡの大きさだけ隔てた位置に接着部６２ｃおよび仕切部６２ｂと平行でかつ垂直な仕切部６２ｆの下端が底面部６０ｅに接着固定され、当該仕切部６２ｆからカードＣＡの大きさだけ隔てた位置に接着部６２ｃ、仕切部６２ｂ、６２ｆと平行でかつ垂直な仕切部６２ｄが背面部６０ｄおよび底面部６０ｅに対して接着固定されている。
【０１００】
接着部６２ｃと仕切部６２ｂとの間には、カードＣＡが積み重ねられる際の底面を所定角度αに傾斜させた傾斜部６２ａが形成され、仕切部６２ｂと仕切部６２ｆとの間にはカードＣＡが積み重ねられる際の底面を所定角度β（β＜α）に傾斜させた傾斜部６２ｅが形成され、仕切部６２ｆと仕切部６２ｄとの間にはカードＣＡが積み重ねられる際の底面を所定角度γ（γ＜β）に傾斜させた傾斜部６２ｇが形成されている。なお、仕切部６２ｂの高さは仕切部６２ｆの高さよりも高く形成されている。
【０１０１】
ここで、カードＣＡの落下位置に近い方の第１のカード収納部６３における傾斜部６２ｂの傾斜角度αは、カードＣＡの落下位置から２番目に近い第２の収納部６４における傾斜部６２ｅの傾斜角度βよりも急峻である。また、カードＣＡの落下位置から２番目に近い第２の収納部６４における傾斜部６２ｅの傾斜角度βは、カードＣＡの落下位置から最も遠い第３の収納部６５における傾斜部６２ｇの傾斜角度γよりも急峻である（γ＜β＜α）。
【０１０２】
カード収納箱６０の正面部６０ａの裏面と、傾斜部６２ａと、仕切部６２ｂとにより第１のカード収納部６３が形成され、仕切部６２ｂと、傾斜部６２ｅと、仕切部６２ｆとにより第２のカード収納部６４が形成され、仕切部６２ｆと傾斜部６２ｇと仕切部６２ｄとにより第３のカード収納部６５が形成されている。かくしてカード収納箱６０には、カード収納仕切部材６２により第１のカード収納部６３と、第２のカード収納部６４と、第３のカード収納部６５とを有することとなる。
【０１０３】
＜カード収納動作＞
このように構成されたカード収納箱６０に対してカード処理装置１００のカード導出路１ｂから排出された回収すべきカードＣＡを第１のカード収納部６３乃至第３のカード収納部６５に収納する際のカード収納動作について説明する。
【０１０４】
カード処理装置１００のカード導出路１ｂの傾斜に沿って排出されるカードＣＡは、当該カードＣＡの落下の際に、その一方の端部がカード収納仕切部材６２の傾斜部６２ａに衝突した後、仕切部６２ｂに衝突し、第１のカード収納部６３の傾斜部６２ａ上に順次積み重ねられていく。
【０１０５】
そして、積み重ねられた最上段のカードＣＡが仕切部６２ｂの高さと同じになった後に、次の新たなカードＣＡがカード処理装置１００のカード導出路１ｂから排出されたとき、その新たなカードＣＡに対してストッパとなり得る仕切部６２ｂが露出してないため、当該カードＣＡが第１のカード収納部６３に積み上げられた最上段のカードＣＡの上を滑って第２のカード収納部６４へ移動する。
【０１０６】
第２のカード収納部６４へ移動されたカードＣＡは、傾斜部５２ｅ上を滑りながら移動し、その一方の端部が仕切部６２ｆに衝突され、当該カードＣＡの一方の端部が仕切部６２ｆにより揃えられた状態で傾斜部６２ｅ上に載置される。
【０１０７】
次にカード処理装置１００のカード導出路１ｂから排出されるカードＣＡは、同様に、第１のカード収納部６３に積み上げられた最上段のカードＣＡの上を滑って第２のカード収納部６４へ移動するが、第２のカード収納部６４の傾斜部６２ｅには既にカードＣＡが載置されているため（図１７（Ａ））、そのカードＣＡの他方の端部に対して、新たなカードＣＡの一方の端部が衝突し、第１のカード収納部６３の傾斜部６２ａの最上段のカードＣＡの上に積み重ねられる。
【０１０８】
これ以降、新たにカード処理装置１００のカード導出路１ｂから順次排出されるカードＣＡは、第２のカード収納部６４、第１のカード収納部６３の順番を繰り返しながら積み重ねられる。
【０１０９】
その結果、図１７（Ｂ）に示すように、第２の収納部６４の傾斜部６２ｅに積み重ねられた最上段のカードＣＡが仕切部６２ｆの高さと同じになり、第１の収納部６３の傾斜部６２ａに積み重ねられた最上段のカードＣＡ、第２の収納部６４の傾斜部６２ｅに積み重ねられた最上段のカードＣＡの２枚の高さが揃う。
【０１１０】
その後、次の新たなカードＣＡがカード処理装置１００のカード導出路１ｂから排出されると、そのカードＣＡに対してストッパとなり得る仕切部６２ｂ、６２ｆが露出されていないため、当該新たなカードＣＡが第１のカード収納部６３および第２のカード収納部６４に積み重ねられた最上段のカードＣＡの上を滑って第３のカード収納部６５へ移動する。
【０１１１】
第３のカード収納部６５に移動されたカードＣＡは、傾斜部６２ｇ上を滑りながら移動し、その一方の端部が仕切部６２ｄに衝突し、当該カードＣＡの一方の端部が仕切部６２ｄにより揃えられた状態で当該傾斜部６２ｇ上に載置される。
【０１１２】
それ以降にカード処理装置１００のカード導出路１ｂから排出されるカードＣＡは、同様に、第１のカード収納部６３および第２のカード収納部６４に積み重ねられた最上段のカードＣＡの上を順次滑って第３のカード収納部６５へ移動しようとするが、第３のカード収納部６５の傾斜部６２ｇには既にカードＣＡが載置されているため、そのカードＣＡの他方の端部に対して、新たに移動されてくるカードＣＡの一方の端部が衝突し、第２のカード収納部６４の傾斜部６２ｅ上に載置される。
【０１１３】
次に、カード処理装置１００のカード導出路１ｂから排出されるカードＣＡは、第１のカード収納部６３に積み重ねられた最上段のカードＣＡの上を滑って第２のカード収納部６４へ移動しようとするが、第２のカード収納部６４に積み重ねられた最上段のカードＣＡの他方の端部に対して、新たに移動されてくるカードＣＡの一方の端部が衝突し、第１のカード収納部６３の最上段のカードＣＡの上に載置される。
【０１１４】
この状態では、第１のカード収納部６３の最上段のカードＣＡ、第２のカード収納部６４の最上段のカードＣＡ、第３のカード収納部６５の最上段のカードＣＡはその面が全て揃うことになり、以降、カード処理装置１００のカード導出路１ｂから順次排出される新たなカードＣＡは、第３のカード収納部６５、第２のカード収納部６４、第１のカード収納部６３の順番で繰り返し積み重ねられる。
【０１１５】
かくしてカード収納箱６０では、カード処理装置１００のカード導出路１ｂから排出されるカードＣＡを効率良く第１のカード収納部６３乃至第３のカード収納部６５に振り分けながら可能な限り多くの枚数を収納することができる。
【０１１６】
（５）他の実施の形態
なお、上述した第１の実施の形態においては、カード導出路１ｂを所定角度に傾斜させるようにした場合について述べたが、本発明はこれに限らず、カード収納箱３０のカード収納仕切部材３２における傾斜部３２ａにカードＣＡを落下させる場合には必ずしもカード導出路１ｂを傾斜させる必要はない。
【符号の説明】
【０１１７】
１…ベース、２…カバー、３…シャッタ、４…リンク、５…スライダ、６…バネ、９、１３…電磁ソレノイド、１０…ストッパ、１１…ピン、１２…リーダライタ、１４…ロックレバー、１６…シャフト、１８…開放レバー、１９…シュータ、２０…回動軸、３０、４０、５０、６０…カード収納箱、３２、４２、５２、６２…カード収納仕切部材。
【図１】
2014178925.tif 000003
【図２】
2014178925.tif 000004
【図３】
2014178925.tif 000005
【図４】
2014178925.tif 000006
【図５】
2014178925.tif 000007
【図６】
2014178925.tif 000008
【図７】
2014178925.tif 000009
【図８】
2014178925.tif 000010
【図９】
2014178925.tif 000011
【図１０】
2014178925.tif 000012
【図１１】
2014178925.tif 000013
【図１２】
2014178925.tif 000014
【図１３】
2014178925.tif 000015
【図１４】
2014178925.tif 000016
【図１５】
2014178925.tif 000017
【図１６】
2014178925.tif 000018
【図１７】
2014178925.tif 000019